(57)【要約】【課題】回動部材を回動したときの摺動性を確保すると共に、入賞装置の小型化を実現する。【解決手段】入賞口への入球確率を変化させる回動軸４１を備えた回動部材４と、回動部材４を、連結部材６と被着部材５を介して回動させるためのソレノイド７０を備え、回動部材４を入賞装置本体１に固定するときには、回動軸４１をボス３に挿設した状態で、ボス３の外周面に被着部材５を外から嵌め込み、被着部材５の回動に連動して回動部材４が回動するように構成した。【選択図】        図６
2007159872.tif 000002
【特許請求の範囲】
【請求項１】
入賞口を有する入賞装置本体と、
前記入賞装置本体に対して回動する回動軸を有する回動部材と、
前記回動部材を駆動する駆動装置と、
を備えた遊技機の入賞装置において、
前記回動軸の軸方向に形成された内周面と外周面とを有し、前記回動軸が前記内周面に対して摺動しつつ回動するよう、前記回動軸を挿設させるボスと、
前記ボスに被着されるとともに前記回動軸に連結し、前記駆動装置による駆動に連動して、前記外周面に対して摺動しつつ、前記回動軸と同軸状に回動する被着部材と、
を備えることを特徴とする遊技機の入賞装置。
【請求項２】
前記被着部材に、前記駆動装置からの動力を前記回動軸に伝達する複数の歯を一体的に形成した請求項１の遊技機の入賞装置。
【請求項３】
前記ボスにリブを設けた請求項１の遊技機の入賞装置。
【発明の詳細な説明】
【技術分野】
【０００１】
本発明は、遊技機(例えばパチンコ機等)の入賞装置に関するものである。
【背景技術】
【０００２】
従来の遊技機の入賞装置は、ソレノイドを利用して、ソレノイドと長尺の回動軸を介して接続された回動部材を開閉させる構成が一般的であり、特許文献１では、入賞装置本体の後部にソレノイドを装備し、装備本体の前面に備える回動部材に前後に渡す長尺の回動軸を介して連絡し、この回動軸の両端部を軸受け部にて支持し、回動軸が回動する際の摺動性確保のため、余剰空間（クリアランス）を確保し、ソレノイドから回動部材を回動する力を伝えられるようにしてある。
【特許文献１】実公平８−１０３２８
【発明の開示】
【発明が解決しようとする課題】
【０００３】
しかしながら、従来のように回動軸が長尺であるため、クリアランスが大きくなり、回動軸にガタ付きが生じ（回動軸に角度がつく）、摺動性が弱くなり、また、回動部材を回動するための駆動源となるソレノイドから回動部材までの距離が遠くなることで、部品点数が増大するという問題点が発生する。
【課題を解決するための手段】
【０００４】
上記目的を達成するため、請求項１に記載の発明は、入賞口を有する入賞装置本体と、前記入賞装置本体に対して回動する回動軸を有する回動部材と、前記回動部材を駆動する駆動装置と、を備えた遊技機の入賞装置において、前記回動軸の軸方向に形成された内周面と外周面とを有し、前記回動軸が前記内周面に対して摺動しつつ回動するよう、前記回動軸を挿設させるボスと、前記ボスに被着されるとともに前記回動軸に連結し、前記駆動装置による駆動に連動して、前記外周面に対して摺動しつつ、前記回動軸と同軸状に回動する被着部材と、を備えることを特徴とする遊技機の入賞装置である。
【０００５】
請求項２に記載の発明は、前記被着部材に、前記駆動装置からの動力を前記回動軸に伝達する複数の歯を一体的に形成した請求項１の遊技機の入賞装置である。
【０００６】
請求項３に記載の発明は、前記ボスにリブを設けた請求項１の遊技機の入賞装置である。
【０００７】
「回動部材」としては、例えば、普通電動役物の羽根部材、アタッカー（大入賞口）の蓋部材等を備える部材が挙げられる。例えば、回動軸により回動部材を開状態にしたときには、遊技球が入賞口に入賞する構成とし、回動軸により回動部材を閉状態にしたときには、遊技球が入賞口に入賞しない構成とすることが挙げられる。
【０００８】
「駆動装置」としては、例えば、ソレノイドなどを利用することが挙げられる。例えば、ソレノイドの励失磁に伴い、回動部材を回動させ、入賞口への入球確率を変化させる構成である。
【０００９】
「ボス」は前記入賞装置本体に固定されることが好ましく、摺動性を高くできる。「回動軸」と「被着部材」とは一体的に回動することが好ましく、摺動効率が高くなる。
【００１０】
請求項２の具体例として、前記被着部材がその外周面に第１歯を連設し、別途設けた連結部材にも第２歯を連設し、前記第１歯及び前記第２歯は互いに噛合し、回動軸に連結した連結部材の回動に連動して、前記被着部材が回動することが挙げられる。
【発明の効果】
【００１１】
請求項１の発明によれば、前記ボスに被着され、前記駆動装置による駆動に連動して、前記ボスの外周を摺動しながら回動する被着部材を備えているので、回動軸を短尺とすることができ、回動部材を回動したときのガタ付きが生じにくくなり、また、回動部材の摺動性が良好になる。そして、駆動装置による駆動が回動部材に直接的に伝わりやすくなり、駆動効率が良好である。更に、部品点数の削減により、入賞装置の小型化を実現することが可能となり、入賞装置自体の組立も容易となる。
【００１２】
請求項２の発明によれば、被着部材が複数の歯を有することで、駆動装置による駆動が回動部材に直接伝わりやすくなり、駆動装置の近くに回動部材を配置できる。
【００１３】
請求項３の発明によれば、ボスは、リブを備えるので、摺動が円滑に成る。
【発明を実施するための最良の形態】
【００１４】
以下に、本発明の好適な実施形態に係る遊技機の入賞装置について図面を参照して説明する。この入賞装置は、図１〜６に示す通り、入賞装置本体１と、この入賞装置本体１の表面に形成される入賞口２と、入賞装置本体１の裏面に形成されるボス３と、入賞口２を開閉する回転軸４１を備える回動部材４と、ボス３に被着される被着部材５と、被着部材５と連結する連結部材６、及び、駆動装置７等の各種部材が組み付けられて構成される。被着部材５、連結部材６、駆動装置７等は遊技盤８０の裏面側に取り付けられる。また、入賞装置本体１は、遊技盤８０の孔８１に取り付けられるものである。入賞装置が遊技盤８０に取り付けられた状態では、入賞装置の入賞口２は遊技者が視認することが可能な位置にあり、他の部材は遊技者が視認できない位置となる。以下、各部を詳細に説明する。
【００１５】
入賞装置本体１の基板１０の裏面下部には、排出口１１と、排出口１１を通過する遊技球を誘導する誘導樋１２と、排出口１１の上部に配置される遊技球検出スイッチ１３と、遊技球検出スイッチ１３を係止する係止爪１４と、を備えている。遊技球検出スイッチ１３の上部に、被着部材５を取り付ける円筒形のボス３が遊技盤８０の裏側に対し軸方向に延び出している。図５に示す通り、ボス３の基部の反対側（表面側）に円形の凹溝１５が形成されている。このボス３の横方向の近くに連結部材６が外嵌される固定軸１６が軸方向に形成されている。固定軸１６の中心にネジ孔１６ａが形成されている。ボス３の上部に駆動装置７を取り付ける取付部１７が形成され、取付部１７に複数の取付孔１８が形成されている。更に基板１０に下部カバー２０を取り付けるための取付孔１９が形成されている。
【００１６】
入賞装置本体１は、基板１０を備え、その基板１０の表面側に入賞口２が形成されている。この入賞口２は、内側に凸部２０ａを備える下部カバー２０と、上部カバー２１と、前記下部カバー２０及び上部カバー２１に覆われ排出口１１と連通する遊技球入球通路２２と、遊技球入球通路２２と連通し上部に向かって形成される開口部２３と、基板１０及び下部カバー２０の間に介装され、それらに回動自在に連結するとともに、開口部２３を開閉する板状（羽根状）の回動部材４と、回動部材４を止めるストッパ２４等から構成されている。入賞口２へ入球した遊技球は、排出口１１より排出されるようになっており、排出口１１から排出された遊技球は、遊技盤８０の背面内に取り込まれるようになっている。
【００１７】
ボス３は、図５及び図６に示す通り、軸方向に形成された内周面と外周面とを有し、後述する回動軸４１が内周面に対して摺動しつつ回動するよう、回動軸４１を挿設させるものである。ボス３は回動部材４と被着部材５とを入賞装置本体１に回動自在に取り付けるものである。またボス３の基部にはフランジ形状のリブ３１が形成されている。このリブ３１の上面は半径方向の外側に下凹に湾曲する曲面となっており、この曲面に被着部材５の下面が接している。
【００１８】
回動部材４は図１に示す矢印Ｒが示す方向に回動するものであり、これにより、入賞口２内へ入賞する遊技球の入球率を変化させる構成となっている。図１は、回動部材４が開口部２３を閉鎖する閉鎖位置にある状態を示しており、この状態においては遊技球が入賞口２内部に入球しない構成となっている。回動部材４は、遊技盤８０の前後方向に軸方向が設定された、中空の回動軸４１を備えるものである。図５及び図６に示す通り、回動軸４１はボス３の中空部に軸方向に挿設される。回動軸４１がボス３の中空部に挿設された状態で、ボス３の外周面に被着部材５を被せている。ビス４３が、ワッシャ４４、被着部材５、ボス３、ブッシュ４５を介装させて、回動軸４１の軸孔４２に螺合している。これにより被着部材５と回動軸４１とが一体化されている。ブッシュ４５の上面は凹溝１５に遊嵌し、下面は回動軸の基部に接している。更に回動部材４に突出片４６が形成され、ストッパ２４と係合されて、動きが規制される。回動部材４は羽根状であり中空部４７が形成されている。この中空部４７を形成する壁の端部は、凸部２０ａと係合し、回動部材４が遊技盤８０の盤面方向に回動するようになっている（図５参照）。
【００１９】
被着部材５は、図５及び図６に示す通り、円筒形状の中空キャップでボス３に被着されており、また、軸方向端部がボス３が挿入される開放面となり、軸方向他端部は閉じており、その中心に前記開放面の径よりも小径の貫通孔５２を備えている。この貫通孔５２にビス４３が挿通され、ビス４３が回動軸４１の上端部にネジ込まれている。被着部材５は、複数の連設された歯５０が下部の外周の一定範囲に延在し半径方向に延び出すように形成されたものである。被着部材５は、その内周面がボス３の外周面に対して摺動しつつ、ボス３を介在させて、回動軸４１と同軸状に回動するものである。
【００２０】
連結部材６は、駆動装置７の動力を、被着部材５に伝達するものである。連結部材６は上部の外周から所定間隙で軸方向に延び出す１対の突起部６０と、下部の外周の一定範囲（ここでは全周の１／２以下、好ましく１／４以下の範囲）から半径方向に延び出す複数の連設された歯６１と、を備えている。連結部材６は、固定軸１６に外嵌されて、ビス６２及びワッシャ６３が固定軸１６のネジ孔１６ａに取り付けられ、連結部材６が固定軸１６を中心として同軸状に回動自在になっている。これらにより歯５０と歯６１とが一定回動範囲において歯合するようになっている。
【００２１】
駆動装置７は、ソレノイド７０の励失磁に伴うプランジャ７１の伸縮動（図３において往復方向Ｌにおいての直線的な駆動）によって、連結部材６、被着部材５を介して、回動部材４を回動させるものである。プランジャ７１の鍔部７２が、連結部材６の１対の突起部６０に係合するよう構成されている。駆動装置７とプランジャ７１の鍔部７２との間にバネ（図示略）が縮設されている。プランジャ７１の鍔部７２が図３、図６に示す通り、軸方向と直交する方向に往復動することにより、その動きに連動して、連結部材６が図３の矢印Ｂが示す方向に回動されるようになっている。前記したように歯５０と歯６１とは噛合するように構成されているので、連結部材６に設けられた歯６１を回動させることにより、その動きに連動して、被着部材５を図３の矢印Ｃ方向に示す方向に回動させる構造である。更に、被着部材５による図３の矢印Ｃ方向の回動に連動して、回動部材４を図１に示す矢印Ｒが示す方向に回動させる構造である。駆動装置７は、取付部７５に複数のビス７６（図３参照）が装着されることにより、入賞装置本体１の取付部１７に固定されるようになっている。なお、図４ではソレノイド７０、ビス等の図示は省略してある。
【００２２】
次に本実施形態の入賞装置の動作について、駆動装置７による回動部材４の回動動作を中心として説明する。まず、図３に示す通り、ソレノイド７０が失磁状態で前記バネ（図示略）によってプランジャ７１が伸長した状態において、プランジャ７１が押し下げられることで、歯６１が時計方向に回った位置、歯５０が反時計方向に回った位置において停止している。また、図１に示す通り、回動部材４が開口部２３を閉鎖した状態で保持される。
【００２３】
外部から入賞口開放信号を受けて駆動装置７が通電され、ソレノイド７０が励磁すると、プランジャ７１の位置が伸長状態から縮退状態になる。このプランジャ７１の動きに伴って、突起部６０と歯６１とが図３において反時計方向に回動するのに伴い、歯５０は時計方向に回動する。これに伴い、回動軸４１と被着部材５とが時計方向に一体的に回動するので、図１において回動部材４が反時計方向に回動することになり、入賞口３は開放状態に移行する。
【００２４】
この入賞口３の開放状態において、所定球数の遊技球の入賞口３への入賞又は所定時間経過に伴い、外部から入賞口閉鎖信号を受けて駆動装置７が非通電となると、ソレノイド７０が失磁し、前記バネ（図示略）によりプランジャ７１が縮退状態から伸長状態になる。これにより入賞口３が閉鎖状態となる。
【００２５】
以上説明した本実施形態によれば、ボス３と、回動軸４１を有する回動部材４と、連結部材６による回動に連動して回動する被着部材５と、駆動装置７による直線的な駆動に連動して回動する連結部材６と、を備え、回動部材４と被着部材５とがボス３の内周面と外周面をそれぞれ摺動しながら回動する構成としたので、回動軸４１が長尺である構成と比較して、回動軸４１を短尺にすることができるので、クリアランスを抑制でき、回動部材４を回動したときの回動軸４１のガタ付きが生じにくくなり、回動軸４１の摺動性が強化できる。また、部品点数の削減により入賞装置の小型化を実現することが可能となり、入賞装置自体の組立も容易となる。
【００２６】
また、被着部材５の歯５０と、連結部材６１の歯６１は互いに噛合しており、連結部材６の回動に連動して、被着部材５が回動する構成としたので、駆動装置７による駆動が回動部材４に直接伝わりやすくなるとともに駆動力の伝達が確実になり、回動部材４を回動したときのガタ付きを抑制できるという効果が期待できる。
【００２７】
尚、上記に説明した本実施形態は、本発明者により採用された技術的思想の創作の代表例である。これら技術は本発明の実施のための好ましい実施形態の例示であり、また、本技術分野に属する者あれば、本発明の開示に鑑みて、本発明の精神及び意図された要旨から離れることなく、多数の改良、変更、追加等が可能である。実施形態では、入賞装置本体１の前後方向に回転軸４１の軸方向が設定されたが、この軸方向を入賞装置本体１の上下、又は、左右方向など、適宜の方向に設定してもよい。
【図面の簡単な説明】
【００２８】
【図１】本発明実施形態における遊技機の入賞装置の正面図である。
【図２】同遊技機の入賞装置の正面斜視図である。
【図３】同遊技機の入賞装置の背面図である。
【図４】同遊技機の入賞装置の背面斜視図である。
【図５】図３のＡ−Ａ断面図である。
【図６】同遊技機の入賞装置の分解斜視図である。
【符号の説明】
【００２９】
１…入賞装置本体  ２…入賞口  ３…ボス  ４…回動部材
５…被着部材  ６…連結部材  ７…駆動装置  ８０…遊技盤
８１…孔  １０…基板  １１…排出口  １２…誘導樋  １３…遊技球検出スイッチ
１４…係止爪  １５…凹溝  １６…固定軸  １６ａ…ネジ孔
１７…取付部  １８…取付孔  １９…取付孔  ２０ａ…凸部
２０…下部カバー  ２１…上部カバー  ２２…遊技球入球通路  ２３…開口部
２４…ストッパ  リブ…３１  ４…回動部材
４１…回動軸  ４２…軸孔  ４３…ビス  ４４…ワッシャ  ４５…ブッシュ
４６…突出片  ４７…中空部  ５０…歯  ６０…突起部  ６１…歯  ６２…ビス
６３…ワッシャ  ７０…ソレノイド  ７１…プランジャ  ７２…鍔部  ７５…取付部
【図１】
2007159872.tif 000003
【図２】
2007159872.tif 000004
【図３】
2007159872.tif 000005
【図４】
2007159872.tif 000006
【図５】
2007159872.tif 000007
【図６】
2007159872.tif 000008